(57)【要約】【課題】発光源の熱を効率よく放熱できるランプ装置および照明装置を提供する。【解決手段】ランプ装置10は、筒状の筐体11、ヒートパイプ41、発光源40、グローブ15および給電部16を備える。ヒートパイプ41は、中間部53が筐体11の一端側に配設されるとともに両端部54が筐体11の他端側へ向けて筐体11の内側面に沿って配設される。発光源40は、ヒートパイプ41の中間部53に配設される。グローブ15は、発光源40に対向して筐体11の一端側に配設される。給電部16は、筐体11の他端側に設けられる。【選択図】図１
2018055823.tif 000002
【特許請求の範囲】
【請求項１】
筒状の筐体と；
中間部が前記筐体の一端側に配設されるとともに両端部が前記筐体の他端側へ向けて前記筐体の内側面に沿って配設されるヒートパイプと；
前記ヒートパイプの中間部に配設される発光源と；
前記発光源に対向して前記筐体の一端側に配設されるグローブと；
前記筐体の他端側に設けられた給電部と；
を具備することを特徴とするランプ装置。
【請求項２】
前記発光源は、異なる電位の一対の電極を有し、
前記ヒートパイプは、前記発光源の一方の電位と同電位にある
ことを特徴とする請求項１記載のランプ装置。
【請求項３】
前記グローブは、前記筐体よりも外径が大きい大径部を有し、この大径部の一端側周辺部に前記発光源から光を前記大径部の他端側へ向けて反射する前側反射面が設けられ、前記大径部の他端側周辺部に前記前側反射面で反射される光を前記筐体の他端側方向へ出射する後側出射面が設けられている
ことを特徴とする請求項１または２記載のランプ装置。
【請求項４】
前記発光源と前記グローブとの間に、前記グローブの材質よりも軟質材料の透明樹脂材が充填されている
ことを特徴とする請求項１ないし３いずれか一記載のランプ装置。
【請求項５】
請求項１ないし４いずれか一記載のランプ装置と；
前記ランプ装置の前記給電部を接続するソケットと；
を具備することを特徴とする照明装置。
【発明の詳細な説明】
【技術分野】
【０００１】
本発明の実施形態は、ヒートパイプを用いたランプ装置、およびこのランプ装置を用いた照明装置に関する。
【背景技術】
【０００２】
従来、筐体の一端側に例えばＬＥＤを光源とする発光源を配設するとともに発光源を覆うグローブを配設し、筐体の他端側に給電部を配設したランプ装置がある。
【０００３】
このようなランプ装置では、発光源の熱を効率よく放熱することが好ましく、そのため、ヒートパイプを用いて発光源の熱を筐体に伝達するようにしたものもある。
【０００４】
そして、ヒートパイプを用いたランプ装置は、筐体の一端側を中実状に設け、この中実部分にヒートパイプの端部を配設している。
【０００５】
しかしながら、ヒートパイプによって筐体の中実部分に伝達された熱がその中実部分にこもりやすく、ヒートパイプを用いても放熱性が十分に向上しないことがある。
【先行技術文献】
【特許文献】
【０００６】
【特許文献１】特開２０１１−１４６２５３号公報
【発明の概要】
【発明が解決しようとする課題】
【０００７】
本発明が解決しようとする課題は、発光源の熱を効率よく放熱できるランプ装置および照明装置を提供することである。
【課題を解決するための手段】
【０００８】
実施形態のランプ装置は、筒状の筐体、ヒートパイプ、発光源、グローブおよび給電部を備える。ヒートパイプは、中間部が筐体の一端側に配設されるとともに両端部が筐体の他端側へ向けて筐体の内側面に沿って配設される。発光源は、ヒートパイプの中間部に配設される。グローブは、発光源に対向して筐体の一端側に配設される。給電部は、筐体の他端側に設けられる。
【発明の効果】
【０００９】
本発明によれば、ランプ装置の発光源の熱を効率よく放熱することが期待できる。
【図面の簡単な説明】
【００１０】
【図１】第１の実施形態を示すランプ装置の断面図である。
【図２】同上ランプ装置の光源部および電源部の分解状態の斜視図である。
【図３】同上ランプ装置の光源部および電源部の組立状態の斜視図である。
【図４】同上ランプ装置の分解状態の斜視図である。
【図５】同上ランプ装置のグローブを外した状態の斜視図である。
【図６】同上ランプ装置の斜視図である。
【図７】同上ランプ装置を用いた照明装置の概略の正面図である。
【図８】第２の実施形態を示すランプ装置の断面図である。
【発明を実施するための形態】
【００１１】
以下、第１の実施形態を、図１ないし図７を参照して説明する。
【００１２】
図１、図３ないし図６に、照明装置としてランプ装置10を示す。ランプ装置10は、一般照明用白熱電球用のソケットに装着して使用可能な電球形ランプであって、例えば比較的小形のミニクリプトン電球形ランプである。なお、ランプ装置10は、仮想のランプ中心軸ｚを有しており、ランプ中心軸ｚに沿った方向をランプ装置10の一端側（前端側）、他端側（後端側）として説明する。
【００１３】
ランプ装置10は、筐体11、この筐体11の一端側に配設される光源部（光源ユニット）12、筐体11内に配設される電源部13および絶縁ケース14、筐体11の一端側に配設されるグローブ15、および筐体11の他端側に配設される給電部16を備えている。
【００１４】
そして、筐体11は、例えばアルミニウム等の金属材料または樹脂材料によって円筒状に形成されている。筐体11は、円筒状の周壁部20を有し、この周壁部20の一端側の径が他端側の径よりも大きく、他端側から一端側に向けて拡径するように形成されている。筐体11（周壁部20）の内側には、一端側および他端側にそれぞれ連通開口する空洞部21が形成されている。
【００１５】
筐体11は、ランプ中心軸ｚに対して直交する方向に２つの分割筐体11a，11bに分割されており、これら分割筐体11a，11bの分割面側を互いに組み合わせることで円筒状の筐体11が構成されている。一方の分割筐体11aの内側に複数のボス部22が突設され、他方の分割筐体11bの内側にボス部22と嵌合する複数のボス受部23が設けられている。分割筐体11a，11bを組み合わせた状態で、分割筐体11bの外側から複数のねじ24をボス受部23を通じて分割筐体11aのボス部22にそれぞれ螺着することにより、分割筐体11a，11bが組み合わされた状態で互いに締め付け固定されている。本実施形態では、ボス部22およびボス受部23は、筐体11の一端側に２箇所、他端側に１箇所ある。筐体11の他端側の１箇所のボス部22およびボス受部23の周囲には、樹脂製の絶縁スリーブ25が嵌合される。
【００１６】
筐体11の一端側には、グローブ15を取り付けるための環状の壁部26が突設されているとともに、この壁部26の一端側から光源部12の周囲に配置されるカバー部27が突設されている。カバー部27の内側には、光源部12が配置される開口部28が形成されている。
【００１７】
分割筐体11a，11bの分割面側には、この分割面側の両側の周壁部20の内側面に沿ってヒートパイプ収容部30がそれぞれ形成されている。ヒートパイプ収容部30は、分割筐体11a，11bを組み合わせた状態で、筐体11（周壁部20）の内側面に沿って筐体11の一端側から他端側に挿通される孔状に形成されている。すなわち、ヒートパイプ収容部30は、周壁部20と、分割筐体11a，11bの内側に設けられる周方向の内壁部31と、分割筐体11a，11bの内側面から突設された突壁部32との間に形成されている。
【００１８】
ヒートパイプ収容部30は、一端側がランプ中心軸ｚに沿った直線状で、この直線状の部分から傾斜状に形成されている。したがって、ヒートパイプ収容部30は、筐体11の外側面の形状に沿って相似した形状に形成されている。
【００１９】
突壁部32の先端側には、ボス部22がそれぞれ突設されている。両側の突壁部32の間には絶縁ケース14を嵌合する絶縁ケース嵌合部33が形成されている。
【００２０】
筐体11の外側面は、複数のフィン34が突出する凹凸状に形成されている。
【００２１】
また、図１ないし図３に示すように、光源部12は、発光源40、ヒートパイプ41、放熱ブロック42、固定ブロック43、および一対の端子板44a，44bなど備えている。
【００２２】
発光源40は、発光モジュールによって構成されている。発光モジュールとしては、例えば、基板46、この基板46の表面側に実装された複数の発光素子（ＬＥＤ）47、これら発光素子47の周囲を囲む枠部48、および枠部48内に発光素子47を封止するように充填された蛍光体層49を備えるＣＯＢ（Chip On Board）モジュールが用いられる。発光源40は、蛍光体層49の表面で構成される四角形状の発光面40aを有している。発光面40aの面積は、きらめき感を得るうえで、例えば１６．６ｍｍ2以下というように小さいほうが好ましい。基板46の裏面側には、複数の発光素子47に直列に接続される一対の電極50a，50bが設けられている。基板46の裏面側に設けられる一方の電極50aの面積は、他方の電極50bよりも広く設けられている。なお、発光源40は、表面実装形のＬＥＤパッケージ、あるいはＬＥＤ以外の例えば有機ＥＬなどの発光素子で構成してもよい。
【００２３】
ヒートパイプ41は、中空状に形成された長尺パイプ状の密閉容器52内に少量の液体が封入されるとともに、密閉容器52の内壁に毛細管構造が設けられている。ヒートパイプ41は、長手方向中央の中間部53、およびこの中間部53の両端から折曲された両端部54を有する略Ｕ字形に形成されている。中間部53は直線状に設けられ、この中間部53と両端部54との間に湾曲部55が設けられている。両端部54は、湾曲部55から直線部56が設けられているとともにこの直線部56の先端側が内側に傾斜する傾斜部57が設けられている。そして、ヒートパイプ41の両端部54の形状は、筐体11の内側面に沿った形状であって、ヒートパイプ収容部30の形状に沿った形状に形成されている。ヒートパイプ41の中間部53の周囲には、放熱ブロック42や端子板44a等との間に介在される絶縁シート58が配設されている。
【００２４】
放熱ブロック42は、金属材料によって形成され、導電性を有している。放熱ブロック42は、この放熱ブロック42の一側面に開口するとともにこの一側面に直交する両側面に貫通するヒートパイプ保持溝60を有する断面略コ字形に形成されている。放熱ブロック42のヒートパイプ保持溝60には、ヒートパイプ41の中間部53が嵌め込まれている。
【００２５】
放熱ブロック42の前面側には、発光源40の基板46を嵌合する基板嵌合部61、およびこの基板嵌合部61の内側で基板46の裏面側が載置される基板載置面62が形成されている。基板載置面62は、基板46の外形よりも小さく、基板46の一方の電極50aが載置され、はんだ付けによって電気的に接続されている。基板46の他方の電極50bは基板載置面62から外れた外方位置に配置されている。放熱ブロック42の後部側でヒートパイプ保持溝60内に臨む内面には、端子板44aを嵌合する端子嵌合溝63が形成されている。
【００２６】
固定ブロック43は、樹脂材料によって形成され、絶縁性を有している。固定ブロック43には、この固定ブロック43の一側面に開口するとともにこの一側面に直交する前後面に開口する嵌合部65を有している。固定ブロック43の嵌合部65には、ヒートパイプ41を保持した放熱ブロック42が嵌合される。固定ブロック43の両側部にはアーム部66が設けられ、アーム部66の先端には嵌合部65に放熱ブロック42を嵌合した状態で放熱ブロック42に係止される係止部67が設けられている。アーム部66にはヒートパイプ41が挿通する挿通溝68が形成されている。また、固定ブロック43は、端子板44a，44bが保持している。一方の端子板44aの先端は嵌合部65に貫通配置され、他方の端子部44bの先端は放熱ブロック42との間に介在する隔壁部69に配置されている。
【００２７】
一対の端子板44a，44bは、導電性を有している。一方の端子板44aは、放熱ブロック42を介して発光源40の一方の電極50aに電気的に接続される。他方の端子板44bは、発光源40の他方の電極50bに電気的に接続される。
【００２８】
また、電源部13は、給電部16から入力する交流電源を所定の直流電源に変換して発光源40に供給する。交流電源は、位相制御された電源であってもよく、この場合には電源部13は交流電源を発光源40に必要な直流電源に変換し位相制御に応じて調光するようにしてもよい。また、給電部16から入力される直流電源を所定の直流電源に変換して発光源40に供給するようにしてもよい。この場合には、電源部13が給電部16から入力された直流電源を発光源40に必要な直流電源に変換する。このとき、電源部13は給電部16から入力される直流電源の電圧の値に応じて発光源40の出力を制御し調光するようにしてもよい。
【００２９】
電源部13は、回路基板72、およびこの回路基板72に実装された複数の電子部品73を有している。回路基板72は、絶縁ケース14の一端側から挿入され、絶縁ケース14内に収容されている。そして、電源部13の交流電源の入力部が図示しない入力用配線によって給電部16に電気的に接続され、電源部13の直流電源の出力部が出力用配線74a，74bによって発光源40側に電気的に接続されている。
【００３０】
出力用配線74a，74bは、例えば被覆電線によって構成されており、一端が回路基板72に電気的に接続され、他端が端子板44a，44bにかしめ固定されて電気的にも接続されている。
【００３１】
また、図１および図４に示すように、絶縁ケース14は、樹脂材料によって形成され、絶縁性を有している。絶縁ケース14は、一端側が開口する円筒状に形成されており、その一端側から電源部13が挿入される。
【００３２】
絶縁ケース14の筐体11のボス部22およびボス受部23が貫通配置される切欠部77が設けられている。
【００３３】
また、グローブ15は、例えばポリカーボネイト等の樹脂やガラス等の透明な材料で形成されている。グローブ15は、一端側の前面部15aおよび側面の周面部15bを有するとともに、他端側に凹部80を有する円筒状に形成されている。前面部15aおよび周面部15bは肉厚に形成されている。
【００３４】
グローブ15の他端側には筐体11の壁部26の外周に嵌合されて取り付けられる取付部81が設けられている。そして、グローブ15の凹部80には、光源部12の一端側および筐体11の一端側等が収容される。
【００３５】
グローブ15の凹部80には、発光源40に接近して対向する入射面82が形成されている。入射面82は、円錐状の窪み面によって形成されており、凹部80の一端側周辺部から傾斜面を介して発光源40に接近する位置に配置されている。
【００３６】
グローブ15の入射面82と発光源40との間には、それらの間を隙間なく充填された透明樹脂材83が設けられている。この透明樹脂材83は、グローブ15の材質よりも軟質であって、例えばシリコーン樹脂や熱硬化型ウレタン樹脂などが用いられる。
【００３７】
グローブ15の前面部15aの中央には円錐状の窪み部84が形成され、この窪み部84の中心に円錐状のレンズ部85が突設されている。
【００３８】
グローブ15は、筐体11の外径よりも大径の大径部86を有している。そして、この大径部86の一端側周辺部に発光源40から光の一部を大径部86の他端側へ向けて反射する前側反射面87が設けられ、大径部86の他端側周辺部に前側反射面87で反射される光を筐体11の他端側方向へ出射する後側出射面88が設けられている。後側出射面88は、筐体11の外径よりも大径で、他端側から一端側に向かって拡径する傾斜面によって構成されている。
【００３９】
また、給電部16は、筐体11の他端側であって絶縁ケース14の他端側に取り付けられている。給電部16は、例えばＥ１７やＥ２６等の一般照明に用いられる白熱電球用のソケットに接続可能な口金が用いられている。なお、給電部16は、口金に限らず、ランプ種類によっては一対のピンでもよい。
【００４０】
次に、ランプ装置10の組立について説明する。
【００４１】
まず、光源部12を組み立てるには、ヒートパイプ41の中間部53の両側から挟み込むように放熱ブロック42と固定ブロック43とを互いに嵌合し、ヒートパイプ41の中間部53に放熱ブロック42および固定ブロック43を固定する。これにより、ヒートパイプ41の中間部53は放熱ブロック42のヒートパイプ保持溝60に例えば圧入された状態に保持され、ヒートパイプ41の中間部53が絶縁シート58を介して放熱ブロック42に熱的に接続される。
【００４２】
発光源40の基板46を放熱ブロック42の基板嵌合部61に嵌合し、発光源40の一方の電極50a側を放熱ブロック42の基板載置面62に載置するとともに、発光源40の他方の電極50b側を固定ブロック43に取り付けられている他方の端子板44b上に載置し、発光源40の一方の電極50aを放熱ブロック42の基板載置面62にはんだ付け接続し、発光源40の他方の電極50bを他方の端子板44bにはんだ付け接続する。また、一方の端子板44aは、固定ブロック43を通じて放熱ブロック42の端子嵌合溝63に嵌合し、放熱ブロック42に電気的に接続する。
【００４３】
電源部13からの出力用配線74a，74bを端子板44a，44bにかしめ接続する。なお、予め出力用配線74a，74bに端子板44a，44bをかしめ接続しておき、光源部12の組立時に端子板44a，44bを固定ブロック43に装着するようにしてもよい。電源部13は、絶縁ケース14に挿入配置する。
【００４４】
一方の分割筐体11aに対して、その分割筐体11aの分割面側から光源部12、電源部13および絶縁ケース14を組み込む。このとき、絶縁ケース14は分割筐体11aの絶縁ケース嵌合部33に配置し、ヒートパイプ41の両端部54は分割筐体11aのヒートパイプ収容部30に配置する。また、予め絶縁スリーブ25を絶縁ケース14内に入れておき、分割筐体11aに絶縁ケース14を組み込む際に分割筐体11aのボス部22が絶縁スリーブ25に挿通するようにする。
【００４５】
一方の分割筐体11aに他方の分割筐体11bを組み合わせ、分割筐体11a，11b間でヒートパイプ41の両端部54および絶縁ケース14を挟み込んで保持する。複数のねじ24を他方の分割筐体11bから挿入して一方の分割筐体11aに螺着し、分割筐体11a，11bを締め付け固定する。
【００４６】
絶縁ケース14の他端側に給電部16を取り付け、筐体11の一端側にグローブ15を取り付ける。グローブ15を取り付ける際には、発光源40と入射面82との間に透明樹脂材83を注入する。
【００４７】
なお、ランプ装置10の組立順序はこのような順序に限定されるものではない。
【００４８】
そして、ランプ装置10の組立状態では、ヒートパイプ41の両端部54が、筐体11のヒートパイプ収容部30の内面に接触して保持され、筐体11の他端側へ向けて筐体11の内側面に沿って配置される。また、発光源40が筐体11の一端側に配置されるとともにグローブ15の入射面82に対向配置される。また、絶縁ケース14内を貫通するボス部22およびボス受部23の周囲を絶縁スリーブ25が覆い、金属製のボス部22およびボス受部23と電源部13との間を絶縁する。
【００４９】
次に、図７にはランプ装置10を使用する照明装置90の１つの灯体91の概略の正面図を示す。照明装置90は、例えば、シャンデリア器具であり、器具本体から突設された複数のアームによって複数の灯体91が支持されている。
【００５０】
照明装置90の灯体91は、台座92の上面に、例えばガラス製で円筒状の筒体93が配設されているともに、この筒体93の内側にソケット94がランプ接続方向を上方へ向けて配設されている。
【００５１】
ランプ装置10は、給電部16がソケット94に接続されることにより、グローブ15の前面部15aが上方に向けられた状態に配置される。
【００５２】
そして、交流電源がソケット94を通じてランプ装置10に供給されると、電源部13が交流電源を所定の直流電源に変換して発光源40に供給する。これにより、発光源40が発光し、発光源40の発光面40aから光が出射する。
【００５３】
発光源40の発光面40aから出射する光は、グローブ15の入射面82からグローブ15内に入射し、グローブ15内を導光されてグローブ15の外表面から外部へ出射する。このとき、発光源40と入射面82との間には、透明樹脂材83が充填され、空気層が介在しないため、発光源40の発光面40aから出射してグローブ15の入射面82からグローブ15内に入射する光の入射効率が高い。
【００５４】
入射面82からグローブ15内に入射した光の一部は、グローブ15の前面部15aの窪み部84の表面の界面や窪み部84の周辺の表面の界面で側方へ向けて反射し、グローブ15の側面から外部に出射する。
【００５５】
さらに、入射面82からグローブ15内に入射した光の一部は、グローブ15の大径部86の前側反射面87へ向かい、その前側反射面87で大径部86の他端側（後側）へ向けて反射し、大径部86の後側出射面88から外部に出射する。後側出射面88から出射する光は、後側出射面88の界面で屈折し、ランプ装置10の後方へ向けて出射する。ランプ装置10の後方へ向けて出射する光には、ランプ中心軸ｚに近付くように給電部16側に出射する光が含まれる。この場合、ランプ装置10を後方から見ると、グローブ15の周辺部が光っているように見え、演出効果を得ることができる。
【００５６】
このように、ランプ装置10では、グローブ15の側方や後方へも多く出射する光が確保される。そのため、図７に示したように、シャンデリア器具では、グローブ15の前面部15aを上方に向けた状態でランプ装置10を使用するため、ランプ装置10の側方や後方である下方への光が確保されることにより、シャンデリア器具での使用に適した配光となる。
【００５７】
また、発光源40が発光時に発生する熱は、放熱ブロック42を介してヒートパイプ41の中間部53に伝わる。ヒートパイプ41は、中間部53において密閉容器52に封入されている液体が熱で蒸発して蒸気化し、この蒸気が中間部53よりも温度の低い両端部54において液化する。ヒートパイプ41の両端部54で液化した液体は、毛細管構造によってヒートパイプ41の中間部53に送られ、再び熱によって蒸発する。この蒸発と液化のサイクルを繰り返すことによって、ヒートパイプ41の中間部53から両端部54に熱を効率よく伝達する。
【００５８】
ヒートパイプ41の両端部54に伝達された熱は、筐体11に伝わり、筐体11の外側面から空気中に放熱される。ヒートパイプ41の両端部54は、筐体11の一端側から他端側に向けて、その筐体11の内側面つまり周壁部20の内側面に沿って配設されているため、ヒートパイプ41の両端部54から筐体11に伝わった熱を効率よく放熱できる。つまり、熱が伝達される筐体11の内側面と熱を放熱する筐体11の外側面との距離が短く、筐体11自体に熱がこもることなく、筐体11の外側面から効率よく放熱できる。
【００５９】
そして、第１の実施形態のランプ装置10によれば、ヒートパイプ41の中間部53に発光源40を配設し、ヒートパイプ41の両端部54を筐体11の一端側から他端側に向けて、その筐体11の内側面に沿って配設しているため、発光源40の熱を筐体11から効率よく放熱することができる。
【００６０】
ヒートパイプ41の中間部53と発光源40（放熱ブロック42）との間に絶縁シート58を介在させて絶縁しているため、金属製の筐体11を用いることができ、ヒートパイプ41の両端部54から筐体11に効率よく熱を伝達することができるとともに、筐体11から効率よく放熱することができる。
【００６１】
また、グローブ15に筐体11の外径よりも大径の大径部86を設けており、発光源40からの光を、大径部86の一端側の前側反射面87で大径部86の他端側（後側）へ向けて反射するとともに、大径部86の後側出射面88で筐体11の他端側（後方）へ向けて出射するため、ランプ装置10の後方へも多く光を出射することができる。そのため、ランプ装置10のグローブ15の前面部15aを上方に向けるシャンデリア器具での使用にも適する。
【００６２】
また、発光源40とグローブ15の入射面82との間に透明樹脂材83を充填しているため、発光源40とグローブ15の入射面82との間に空気層が介在せず、発光源40から出射してグローブ15の入射面82からグローブ15内に入射する光の入射効率が高くできる。さらに、透明樹脂材83にグローブ15の材質よりも軟質材料を用いることにより、グローブ15に外部から加わる負荷が発光源40に加わるのを緩和でき、発光源40を保護できる。
【００６３】
次に、図８に第２の実施形態を示す。なお、第1の実施形態と同じ構成については、同じ符号を用いてその説明を省略する。
【００６４】
ヒートパイプ41の中間部53と放熱ブロック42との間に絶縁シート58を介在させず、つまりヒートパイプ41の中間部53と放熱ブロック42とを直接接触させる。この場合、ヒートパイプ41の中間部53と放熱ブロック42とをはんだ付けしてこれらの接触面積を増加させるようにしてもよい。これにより、発光源40が発生する熱をヒートパイプ41の中間部53に効率よく伝達することができる。
【００６５】
また、ヒートパイプ41は、放熱ブロック42と直接接触することで、発光源40の一方の電極50aの電位と同電位となる。そのため、ヒートパイプ41の両端部54を配設する筐体11は、絶縁性を有する樹脂製とする。
【００６６】
そして、筐体11を樹脂製とすることにより、筐体11からの放熱性は金属製に比べて低くなるが、発熱源である発光源40の熱をヒートパイプ41の中間部53で効率よく吸熱し、両端部54に伝達して筐体11から放熱できるため、十分な放熱性を確保することができる。
【００６７】
なお、ランプ装置10は、電源部13を備えていなくてもよい。この場合、器具側に配設した電源部から発光源40に必要な直流電源をランプ装置10に供給してもよいし、器具側にも電源部を設けず、給電部16を介して交流電源または直流電源を直接、発光源40に供給するようにしてもよい。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
10    ランプ装置
11    筐体
15    グローブ
16    給電部
40    発光源
41    ヒートパイプ
53    中間部
54    端部
50a，50b    電極
83    透明樹脂材
86    大径部
87    前側反射面
88    後側出射面
90    照明装置
94    ソケット
【図１】
2018055823.tif 000003
【図２】
2018055823.tif 000004
【図３】
2018055823.tif 000005
【図４】
2018055823.tif 000006
【図５】
2018055823.tif 000007
【図６】
2018055823.tif 000008
【図７】
2018055823.tif 000009
【図８】
2018055823.tif 000010